(57)【特許請求の範囲】
【請求項１】
細長い容筒体の両側面に出入自在に設けた支持アームによってロールペーパー芯を左右から回転自在に支承し、その容筒体に設けた取付手段によって吊戸棚底面に固定するロールペーパーホルダーにおいて、
支持アームの断面方形をなす水平摺動杆の下面に係止溝を複数形成し、
容筒体の水平摺動杆挿通路の下面両端にコの字状切欠によって湾曲変形を可能とした係止爪片を形成し、
上記支持アームが容筒体内を移動するとき、その支持アームの係止溝が容筒体の係止爪片と係合係止の都度、復元弾性により打撃音を発するようになし、
上記支持アームには、該容筒体の手前側から着脱自在に装着したカバーと協働して上記支持アームを上記容筒体から抜け出なくするための係止用ピンを植設したことを特徴とする吊戸棚用ロールペーパーホルダー。
【発明の詳細な説明】
【０００１】
【発明の属する技術分野】
本発明は、吊戸棚の底板に懸垂して使用するクッキングペーパー等ロールペーパーのホルダーに関する。
【０００２】
【従来の技術】
クッキングペーパー等をロール状に巻いたロールペーパーの幅には、１８cm、２３cm、２８cmといった幾つかの種類がある。かかるロールペーパーを繰出自在としたロールペーパー用ホルダーについては、冷蔵庫等の側面に取付けるタイプが実開平６−６６４９３号公報に示されている。この支持アームはロールペーパーの取替え等に対し容易に対応できるように、前後方向のみならず左右方向にも回動自在としている。
【０００３】
また、吊戸棚の底板にコ字状掛け金具を引っ掛け、そのコ字状掛け金具の下片に螺合したネジで該吊戸棚底板下面を押圧して各種調理用器具を吊戸棚下方に固定する構成が実開平６−８１４３６号公報に開示されている。
【０００４】
【発明が解決しようとする課題】
ロールペーパー用ホルダーを吊戸棚下方に固定して使用することは、無駄な空間の有効活用が図れる点で好ましいことであるが、手元がよく見えない状態でロールペーパーの取替え作業等を行わざるを得なくなる。そこで本発明の目的は、支持アームによるロールペーパー保持間隔を調整するときに、その間隔が例えばロールペーパーの幅である１８cm、２３cm、２８cmとなる都度、打撃音を発して一旦係止させること、その係止解除は支持アームを多少引っ張ったりあるいは押し込むことによって容易に解除可能であること、また、支持アームがホルダーから抜け出ると元の状態に嵌め合わすのが面倒だから、どんなに引っ張っても抜け出なくするホルダーを提供することにある。
【０００５】
【課題を解決するための手段】
上記の目的を達成するため、本発明は、細長い容筒体の両側面に出入自在に設けた支持アームによってロールペーパー芯を左右から回転自在に支承し、その容筒体に設けた取付手段によって吊戸棚底面に固定させるようにしたロールペーパーホルダーにおいて、
支持アームの断面方形をなす水平摺動杆の下面に係止溝を複数形成し、
容筒体の水平摺動杆挿通路の下面両端にコの字状切欠によって湾曲変形を可能とした係止爪片を形成し、
上記支持アームの係止溝が容筒体の係止爪片と係合係止の都度、復元弾性による打撃音を発するようになすと共に、
該支持アームには該容筒体の手前側から着脱自在に装着したカバーと協働して上記支持アームを上記容筒体から抜け出なくするための係止用ピンを植設したことを特徴とするものである。
【０００６】
【発明の実施の形態】
本発明になるホルダーは、図１の分解斜視図からわかるように、細長い容筒体１と、その容筒体１の左右両側面から出入自在とした支持アーム２，２と、このホルダーを吊戸棚底面に固定するための取付手段３と、容筒体１の外側を覆うカバー４とからなる。上記の支持アーム２は、垂直な腕片２ａの上端に形成した断面方形の水平摺動杆２ｂと、その腕片２ａの下端に形成した水平支承杆２ｃとから構成され、左右の水平支承杆２ｃ，２ｃによりロールペーパー（図示するを省略）の回転自在な保持がなされる。水平摺動杆２ｂの側面には横向きの係止用ピン２ｄ（図３参照）を植設し、後述するカバー４と協働して支持アーム２を抜け出なくする。
【０００７】
容筒体１は、箱体１ａの解放上面に超音波溶着等で上蓋１ｂを固着してなる。この箱体１ａの底面と上蓋１ｂの下面には夫々上記断面方形の水平摺動杆２ｂの側面と上面とに当接する案内板１ｃ，案内板１ｄを形成（図３参照）している。また、箱体１ａの下面両端にはコの字状切欠９によって弾性を付与された係止爪片１０が形成され、一方、支持アーム２の水平摺動杆２ｂの下面には長手方向に直交する複数の係止溝１２を形成している。図２で、矢印方向に支持アーム２を引き出して二点鎖線で示した位置に変位させる過程では、支持アーム２の水平摺動杆２ｂは係止爪片１０を押し下げて該部を湾曲変形させる。その係止爪片１０が支持アーム２の係止溝１２に係止可能な位置になると、湾曲変形していたコの字状切欠９部分が急激に元の状態に戻るから、そのとき打撃音が聞かれることになる。
【０００８】
箱体１ａの下面に突設した突出部８には係止溝７が形成されているが、これはカバー４を着脱自在に取付けるためのものである。カバー４は、両側端面に切欠部４ａ（図１参照）を形成していて、吊戸棚底板に取付けた容筒体１の手前側から被せることができる。カバー４の上部内面と下部内面に夫々凸部４ｂ，４ｃ（図３参照）を形成して、凸部４ｂは上蓋２の係止溝２ｅに、また凸部４ｃは前記箱体１ａに突設した突出部８の係止溝７に夫々係合係止して、カバー４を容筒体１の手前側から押し込むと簡単に止着できるようにしている。カバー４の上端面は、クッション１１，１１を顕出させる切欠が形成されている（図２および図３参照）。
【０００９】
取付手段３は、従来のものと格別変わりはない。すなわち、箱体１ａの中央に回動自在に装着された頭付きネジ軸５にコ字状掛け金具６の下片を螺合させていて、コ字状取付金具６の上片を吊戸棚底板（図示せず）に引っ掛けて頭付きネジ軸５を回すと、コ字状取付金具６は真っ直ぐに昇降動作するようにしている。こうして容筒体１を吊戸棚底板下面に圧着させ固定が可能である。上蓋１ｂの上面に貼着されているクッション１１，１１は吊戸棚底板に傷を付けなくするためのものである。頭付きネジ軸５の頭部高さよりも上記突出部８の高さをやや高くすることで、カバー４取付の際に頭付きネジ軸５の頭部が邪魔にならない。
【００１０】
【発明の効果】
本発明によれば、支持アームの摺動杆は容筒体の長手方向に対して移動可能であるが、その他の方向には動けなくしているから、使用するロールペーパーの別により左右の支持アーム間隔を調整するとき、箱体の弾性爪片と摺動杆の係止溝との係合が解除された状態のときには弾性爪片側が外側に湾曲変形し、箱体の弾性爪片と摺動杆の係止溝とが係合するときには、前記湾曲変形が急激に旧状に戻るため打撃音を発するから、この音によって係合完了が直ぐわかる。
【００１１】
支持アームが容筒体から抜け出てしまうと、その支持アームを再度容筒体に嵌め合わすには一旦ホルダーを取外して行うか、取り外さずに手探り状態で行うかになって面倒であるが、本発明では支持アームの摺動杆に突設した突軸がカバーに衝突して支持アームの抜け防止がなされるため上記した面倒は解消される。
【図面の簡単な説明】
【図１】  本発明の実施例の分解斜視図である。
【図２】  図１の組立状態を示す斜視図である。
【図３】  図２の縦断面図である。
【符号の説明】
１は容筒体、１ａは箱体、１ｂは上蓋、１ｃ，１ｄは案内板、２は支持アーム、２ａは垂直な腕片、２ｂは水平摺動杆、２ｃは水平支承杆、２ｄは横向きの係止用ピン、３は取付手段、４はカバー、４ａは切欠部、４ｂ，４ｃは凸部、５は頭付きネジ軸、６はコ字状掛け金具、７は係止溝、８は突出部、９はコの字状切欠、１０は係止爪片、１１はクッション、１２は係止溝である。
【図１】
0003663719.tif 000002
【図２】
0003663719.tif 000003
【図３】
0003663719.tif 000004